(57)【特許請求の範囲】
【請求項１】
ループ状に形成された信号線と、該信号線の途中に設けられ、監視対象となる複数の太陽電池モジュールのそれぞれに接続される接続部と、を有し、前記太陽電池モジュールが盗難されたときに、当該盗難された太陽電池モジュールに対応する前記接続部にて前記信号線が電気的に遮断されるように構成されたループ回路と、
該ループ回路の両端が接続され、前記太陽電池モジュールの盗難を監視する盗難監視装置本体と、を備え、
前記盗難監視装置本体は、
前記ループ回路の一端から第１パルス信号を送信し、該第１パルス信号が前記ループ回路内で反射された第１反射信号を前記ループ回路の一端側で受信したとき、前記太陽電池モジュールが盗難されたと判定する盗難判定部と、
前記太陽電池モジュールが盗難された位置を判定する盗難位置判定部と、
を有し、
前記盗難位置判定部は、
前記第１パルス信号を送信してから前記第１反射信号を受信するまでの時間を計測し、その計測した時間を基に、盗難された前記太陽電池モジュールのうち最も前記ループ回路の一端に近い前記太陽電池モジュールの位置を判定する第１盗難位置判定部と、
前記ループ回路の他端から第２パルス信号を送信し、該第２パルス信号を送信してから、前記第２パルス信号が前記ループ回路内で反射された第２反射信号を前記ループ回路の他端側で受信するまでの時間を計測し、その計測した時間を基に、盗難された前記太陽電池モジュールのうち最も前記ループ回路の他端に近い前記太陽電池モジュールの位置を判定する第２盗難位置判定部と、を有する
ことを特徴とする太陽電池モジュールの盗難監視装置。
【請求項２】
前記接続部は、
前記信号線の途中に設けられた信号線側コネクタと、前記太陽電池モジュールに設けられ、前記信号線側コネクタを嵌合させたときに、前記信号線側コネクタの前後の前記信号線を電気的に接続して前記ループ回路を形成するモジュール側コネクタと、からなり、
前記太陽電池モジュールの盗難時に、前記信号線側コネクタと前記モジュール側コネクタとの嵌合が解除され、前記信号線側コネクタの前後の前記信号線が電気的に遮断されるように構成されている
請求項１記載の太陽電池モジュールの盗難監視装置。
【請求項３】
ループ状に形成された信号線と、該信号線の途中に設けられ、監視対象となる複数の太陽電池モジュールのそれぞれに接続される接続部と、該接続部に設けられ、前記信号線に対してインピーダンスが不整合となる反射素子と、を有し、前記太陽電池モジュールが盗難されたときに、当該盗難された太陽電池モジュールに対応する前記接続部にて前記信号線が電気的に遮断されるように構成されたループ回路と、
該ループ回路の両端が接続され、前記太陽電池モジュールの盗難を監視する盗難監視装置本体と、を備え、
前記盗難監視装置本体は、
前記ループ回路の一端から第１パルス信号を送信し、該第１パルス信号が前記ループ回路内で反射された第１反射信号を前記ループ回路の一端側で受信したとき、その受信した前記第１反射信号の信号強度が予め設定した判定用閾値以上であれば、前記太陽電池モジュールが盗難されたと判定する盗難判定部と、
前記太陽電池モジュールが盗難された位置を判定する盗難位置判定部と、
を有し、
前記盗難位置判定部は、
前記反射素子にて反射される第１反射信号をカウントし、前記判定用閾値以上の信号強度の前記第１反射信号を受信したときのカウントから、盗難された前記太陽電池モジュールのうち最も前記ループ回路の一端に近い前記太陽電池モジュールの位置を判定する第１盗難位置判定部と、
前記ループ回路の他端から第２パルス信号を送信し、該第２パルス信号が前記ループ回路内で反射された第２反射信号を前記ループ回路の他端側で受信すると共に、前記反射素子にて反射される第２反射信号をカウントし、前記判定用閾値よりも大きい信号強度の前記第２反射信号を受信したときのカウントから、盗難された前記太陽電池モジュールのうち最も前記ループ回路の他端に近い前記太陽電池モジュールの位置を判定する第２盗難位置判定部と、を有する
ことを特徴とする太陽電池モジュールの盗難監視装置。
【請求項４】
請求項１〜３いずれかに記載の太陽電池モジュールの盗難監視装置と、
該太陽電池モジュールの盗難監視装置が前記太陽電池モジュールが盗難されたと判断したときに、警報を発する警報手段と、
を備えたことを特徴とする太陽電池モジュールの盗難監視システム。
【発明の詳細な説明】
【技術分野】
【０００１】
本発明は、太陽電池モジュールの盗難監視装置及びこれを用いた盗難監視システムに関するものである。
【背景技術】
【０００２】
従来より、太陽電池モジュールの盗難監視装置に関する開発が行われている（例えば、特許文献１参照）。
【０００３】
最近では、メガソーラ発電所等の大規模太陽電池発電所の普及に伴い、太陽電池モジュールの盗難を検知するのみではなく、太陽電池モジュールを盗難された位置も検知したいという要求が出てきている。
【０００４】
この要求に対し、特許文献２に記載の太陽電池アレイ故障診断方法を盗難検知に応用することが考えられる。特許文献２に記載の太陽電池アレイ故障診断方法は、太陽電池ストリングの端子または太陽電池アレイの端子とアース間に、測定信号波形を印加し、その応答信号波形を測定信号波形と比較することによって、太陽電池アレイ中の故障（盗難）位置を特定するものである。
【先行技術文献】
【特許文献】
【０００５】
【特許文献１】特開２００２−３６７０４６号公報
【特許文献２】特開２００９−２１３４１号公報
【発明の概要】
【発明が解決しようとする課題】
【０００６】
しかしながら、特許文献２に記載の太陽電池アレイ故障診断方法を盗難検知に応用した太陽電池モジュールの盗難監視装置では、複数の太陽電池モジュールが盗難された場合に、太陽電池モジュールが盗難された可能性がある範囲や、複数の太陽電池モジュールが盗難された位置を特定することができないという問題があった。
【０００７】
本発明は上記事情に鑑み為されたものであり、複数の太陽電池モジュールが盗難された場合であっても、太陽電池モジュールが盗難された可能性のある範囲や、複数の太陽電池モジュールが盗難された位置を特定することが可能な太陽電池モジュールの盗難監視装置及びこれを用いた盗難監視システムを提供することを目的とする。
【課題を解決するための手段】
【０００８】
本発明は上記目的を達成するために創案されたものであり、ループ状に形成された信号線と、該信号線の途中に設けられ、監視対象となる複数の太陽電池モジュールのそれぞれに接続される接続部と、を有し、前記太陽電池モジュールが盗難されたときに、当該盗難された太陽電池モジュールに対応する前記接続部にて前記信号線が電気的に遮断されるように構成されたループ回路と、該ループ回路の両端が接続され、前記太陽電池モジュールの盗難を監視する盗難監視装置本体と、を備え、前記盗難監視装置本体は、前記ループ回路の一端から第１パルス信号を送信し、該第１パルス信号が前記ループ回路内で反射された第１反射信号を前記ループ回路の一端側で受信したとき、前記太陽電池モジュールが盗難されたと判定する盗難判定部と、前記太陽電池モジュールが盗難された位置を判定する盗難位置判定部と、を有し、前記盗難位置判定部は、前記第１パルス信号を送信してから前記第１反射信号を受信するまでの時間を計測し、その計測した時間を基に、盗難された前記太陽電池モジュールのうち最も前記ループ回路の一端に近い前記太陽電池モジュールの位置を判定する第１盗難位置判定部と、前記ループ回路の他端から第２パルス信号を送信し、該第２パルス信号を送信してから、前記第２パルス信号が前記ループ回路内で反射された第２反射信号を前記ループ回路の他端側で受信するまでの時間を計測し、その計測した時間を基に、盗難された前記太陽電池モジュールのうち最も前記ループ回路の他端に近い前記太陽電池モジュールの位置を判定する第２盗難位置判定部と、を有する太陽電池モジュールの盗難監視装置である。
【０００９】
前記接続部は、前記信号線の途中に設けられた信号線側コネクタと、前記太陽電池モジュールに設けられ、前記信号線側コネクタを嵌合させたときに、前記信号線側コネクタの前後の前記信号線を電気的に接続して前記ループ回路を形成するモジュール側コネクタと、からなり、前記太陽電池モジュールの盗難時に、前記信号線側コネクタと前記モジュール側コネクタとの嵌合が解除され、前記信号線側コネクタの前後の前記信号線が電気的に遮断されるように構成されていてもよい。
【００１０】
また、本発明は、ループ状に形成された信号線と、該信号線の途中に設けられ、監視対象となる複数の太陽電池モジュールのそれぞれに接続される接続部と、該接続部に設けられ、前記信号線に対してインピーダンスが不整合となる反射素子と、を有し、前記太陽電池モジュールが盗難されたときに、当該盗難された太陽電池モジュールに対応する前記接続部にて前記信号線が電気的に遮断されるように構成されたループ回路と、該ループ回路の両端が接続され、前記太陽電池モジュールの盗難を監視する盗難監視装置本体と、を備え、前記盗難監視装置本体は、前記ループ回路の一端から第１パルス信号を送信し、該第１パルス信号が前記ループ回路内で反射された第１反射信号を前記ループ回路の一端側で受信したとき、その受信した前記第１反射信号の信号強度が予め設定した判定用閾値以上であれば、前記太陽電池モジュールが盗難されたと判定する盗難判定部と、前記太陽電池モジュールが盗難された位置を判定する盗難位置判定部と、を有し、前記盗難位置判定部は、前記反射素子にて反射される第１反射信号をカウントし、前記判定用閾値以上の信号強度の前記第１反射信号を受信したときのカウントから、盗難された前記太陽電池モジュールのうち最も前記ループ回路の一端に近い前記太陽電池モジュールの位置を判定する第１盗難位置判定部と、前記ループ回路の他端から第２パルス信号を送信し、該第２パルス信号が前記ループ回路内で反射された第２反射信号を前記ループ回路の他端側で受信すると共に、前記反射素子にて反射される第２反射信号をカウントし、前記判定用閾値よりも大きい信号強度の前記第２反射信号を受信したときのカウントから、盗難された前記太陽電池モジュールのうち最も前記ループ回路の他端に近い前記太陽電池モジュールの位置を判定する第２盗難位置判定部と、を有する太陽電池モジュールの盗難監視装置である。
【００１１】
また本発明は、前記太陽電池モジュールの盗難監視装置と、該太陽電池モジュールの盗難監視装置が前記太陽電池モジュールが盗難されたと判断したときに、警報を発する警報手段と、を備えた太陽電池モジュールの盗難監視システムである。
【発明の効果】
【００１２】
本発明によれば、複数の太陽電池モジュールが盗難された場合であっても、太陽電池モジュールが盗難された可能性のある範囲や、複数の太陽電池モジュールが盗難された位置を特定することが可能な太陽電池モジュールの盗難監視装置及びこれを用いた盗難監視システムを提供できる。
【図面の簡単な説明】
【００１３】
【図１】本発明の一実施の形態に係る太陽電池モジュールの盗難監視装置を用いた太陽電池モジュールの盗難監視システムの概略構成図である。
【図２】図１の要部拡大図である。
【図３】図１の太陽電池モジュールの盗難監視装置において、第１盗難位置テーブルの一例を示す図である。
【図４】図１の太陽電池モジュールの盗難監視装置において、第２盗難位置テーブルの一例を示す図である。
【図５】（ａ），（ｂ）は、図１の太陽電池モジュールの盗難監視装置の動作を説明する図である。
【図６】図１の太陽電池モジュールの盗難監視装置において、盗難判定処理の制御フローを示すフローチャートである。
【図７】図１の太陽電池モジュールの盗難監視装置において、盗難位置判定処理の制御フローを示すフローチャートである。
【図８】本発明の他の実施の形態に係る太陽電池モジュールの盗難監視装置を示す要部拡大図である。
【図９】図８の太陽電池モジュールの盗難監視装置の動作を説明する図である。
【発明を実施するための形態】
【００１４】
以下、本発明の実施の形態を添付図面にしたがって説明する。
【００１５】
図１は、本実施の形態に係る太陽電池モジュールの盗難監視装置を用いた太陽電池モジュールの盗難監視システムの概略構成図である。
【００１６】
図１に示すように、太陽電池モジュールの盗難監視システム１００は、本発明の太陽電池モジュールの盗難監視装置１と、太陽電池モジュールの盗難監視装置１が太陽電池モジュールＭが盗難されたと判断したときに、警報を発する警報手段２０と、を備えている。
【００１７】
本実施の形態に係る太陽電池モジュールの盗難監視装置１は、ループ回路２と、ループ回路２の両端が接続され、太陽電池モジュールＭの盗難を監視する盗難監視装置本体３と、を備えている。
【００１８】
ループ回路２は、ループ状に形成された信号線４と、信号線４の途中に設けられ、監視対象となる複数の太陽電池モジュールＭのそれぞれに接続される接続部５と、を有している。つまり、ループ回路２は、太陽電池モジュールＭのそれぞれに接続される複数の接続部５を、信号線４により直列に接続した構成となっている。
【００１９】
ここでは、監視対象となる太陽電池モジュールＭがｎ台である場合を説明する。この場合、信号線４には、ｎ台の太陽電池モジュールＭに対応してｎ個の接続部５が設けられることになる。以下、説明の簡略化のため、ループ回路２の一端側から他端側（図１の上側から下側）にかけて、太陽電池モジュールＭのモジュール番号が１，２，３，４，・・・，ｎであるとする。
【００２０】
ループ回路２は、太陽電池モジュールＭが盗難されたときに、当該盗難された太陽電池モジュールＭに対応する接続部５にて信号線４が電気的に遮断されるように構成されている。具体的には、図２に示すように、接続部５は、信号線４の途中に設けられた信号線側コネクタ５ａと、太陽電池モジュールＭに設けられ、信号線側コネクタ５ａを嵌合させたときに、信号線側コネクタ５ａの前後の信号線４を電気的に接続してループ回路２を形成するモジュール側コネクタ５ｂと、からなり、太陽電池モジュールＭの盗難時には、信号線側コネクタ５ａとモジュール側コネクタ５ｂとの嵌合が解除され、信号線側コネクタ５ａの前後の信号線４が電気的に遮断されるように構成されている。モジュール側コネクタ５ｂは、信号線側コネクタ５ａに接続された信号線４の開放端同士を電気的に接続するモジュール側導電路５ｃを備えている。また、モジュール側コネクタ５ｂは、盗難時に太陽電池モジュールＭから取り外すことができないように、太陽電池モジュールＭと一体に形成されるか、あるいは太陽電池モジュールＭに対して強固に固定される。
【００２１】
接続部５を構成する信号線側コネクタ５ａ及びモジュール側コネクタ５ｂは、太陽電池モジュールＭから電力を取り出すために用いられているコネクタと一体に構成してもよいし、別体としてもよい。
【００２２】
なお、接続部５は、太陽電池モジュールＭの盗難時に信号線４が電気的に遮断される構成であればどのような構成でもよく、図２のようなコネクタ型でなくとも、例えば、太陽電池モジュールＭに形成した貫通孔に信号線４を通すなどして、信号線４を切断しなければ太陽電池モジュールＭを盗難できないように構成してもよい。
【００２３】
図１に戻り、ループ回路２の一端（信号線４の一端）は、盗難監視装置本体３の第１入出力部６に接続され、ループ回路２の他端（信号線４の他端）は、盗難監視装置本体３の第２入出力部７に接続される。また、第２入出力部７の近傍のループ回路２には、オープンショート回路８が挿入される。
【００２４】
盗難監視装置本体３は、盗難判定部１０と盗難位置判定部１５とを備えている。これら盗難判定部１０と盗難位置判定部１５は、盗難監視装置本体３の制御基板３ａ内の基本回路３ｂに実装され、メモリ（ＲＡＭ、ＲＯＭ）やＣＰＵ、Ｉ／Ｏインターフェイス、ソフトウェア等を適宜組み合わせて実現される。
【００２５】
盗難判定部１０は、ループ回路２の一端（第１入出力部６）から第１パルス信号を送信し、第１パルス信号がループ回路２内で反射された第１反射信号をループ回路２の一端側（第１入出力部６）で受信したとき、太陽電池モジュールＭが盗難されたと判定するよう構成される。盗難判定部１０は、所定の時間間隔ごとに第１パルス信号を送信するように構成される。
【００２６】
盗難位置判定部１５は、第１盗難位置判定部１１と第２盗難位置判定部１２とを有している。
【００２７】
第１盗難位置判定部１１は、第１パルス信号を送信してから第１反射信号を受信するまでの時間Ｔ１を計測し、その計測した時間Ｔ１を基に、盗難された太陽電池モジュールＭのうち最もループ回路２の一端（第１入出力部６）に近い太陽電池モジュールＭの位置を判定するよう構成される。
【００２８】
本実施の形態では、予め時間Ｔ１ごとに盗難された太陽電池モジュールＭのモジュール番号が設定された第１盗難位置テーブル１３を備え、第１盗難位置判定部１１は、計測した時間Ｔ１で第１盗難位置テーブル１３を参照して、盗難された太陽電池モジュールＭのうち最もループ回路２の一端に近い太陽電池モジュールＭのモジュール番号（以下、盗難モジュール番号Ｐ１という）を判定するように構成される。
【００２９】
第１盗難位置テーブル１３の設定例を図３に示す。図３の第１盗難位置テーブル１３では、例えば、第１パルス信号を送信してから第１反射信号を受信するまでの時間Ｔ１がＸ0より大きくＸ1以下であれば、盗難モジュール番号Ｐ１は１となり、盗難された太陽電池モジュールＭのうち最もループ回路２の一端に近い太陽電池モジュールＭの位置が判定できる。
【００３０】
第２盗難位置判定部１２は、ループ回路２の他端（第２入出力部７）から第２パルス信号を送信し、第２パルス信号を送信してから、第２パルス信号がループ回路２内で反射された第２反射信号をループ回路２の他端側（第２入出力部７）で受信するまでの時間Ｔ２を計測し、その計測した時間Ｔ２を基に、盗難された太陽電池モジュールＭのうち最もループ回路２の他端（第２入出力部７）に近い太陽電池モジュールＭの位置を判定するよう構成される。
【００３１】
本実施の形態では、予め時間Ｔ２ごとに盗難された太陽電池モジュールＭのモジュール番号が設定された第２盗難位置テーブル１４を備え、第２盗難位置判定部１２は、計測した時間Ｔ２で第２盗難位置テーブル１４を参照して、盗難された太陽電池モジュールＭのうち最もループ回路２の他端に近い太陽電池モジュールＭのモジュール番号（以下、盗難モジュール番号Ｐ２という）を判定するように構成される。
【００３２】
第２盗難位置テーブル１４の設定例を図４に示す。図４の第２盗難位置テーブル１４では、例えば、第２パルス信号を送信してから第２反射信号を受信するまでの時間Ｔ２がＹ0より大きくＹ1以下であれば、盗難モジュール番号Ｐ２はｎとなり、盗難された太陽電池モジュールＭのうち最もループ回路２の他端に近い太陽電池モジュールＭの位置が判定できる。
【００３３】
また、盗難位置判定部１５は、第１盗難位置判定部１１が判定した盗難モジュール番号Ｐ１と、第２盗難位置判定部１２が判定した盗難モジュール番号Ｐ２とを比較し、盗難モジュール番号Ｐ１と盗難モジュール番号Ｐ２が等しければ、盗難位置が盗難モジュール番号Ｐ１（＝盗難モジュール番号Ｐ２）であると判定し、盗難モジュール番号Ｐ１と盗難モジュール番号Ｐ２が等しくなければ、盗難位置が盗難モジュール番号Ｐ１から盗難モジュール番号Ｐ２までの範囲であると判定し、判定した盗難位置を盗難位置信号として警報手段２０に出力する。なお、本実施の形態では、盗難位置信号が盗難検知の役割を兼ねているが、盗難位置信号とは別に、盗難を検知した段階で盗難検知信号を警報手段２０に出力するように構成してもよい。
【００３４】
警報手段２０は、太陽電池モジュールの盗難監視装置１の盗難位置判定部１５から盗難位置情報を受信すると、警告灯２１を点灯して太陽電池モジュールＭの盗難があったことを管理者に知らせると共に、モニタ２２に盗難位置を表示し、これと同時に、警報メール送信手段２３により、管理者の携帯電話等に警報メールを送信して、太陽電池モジュールＭの盗難があったこと及びその盗難位置を通知する。
【００３５】
なお、警報手段２０は上述のものに限定されず、例えば、各太陽電池モジュールＭの近傍に音や光を発する威嚇手段を設け、警報手段２０により、盗難位置に対応する威嚇手段を作動させて盗難を未然に防ぐようにしてもよい。
【００３６】
次に、太陽電池モジュールの盗難監視装置１の動作を説明する。
【００３７】
まず、盗難監視の実施に先立ち、第１盗難位置テーブル１３と第２盗難位置テーブル１４の設定を行う。この際には、図５（ａ）に示すように、オープンショート回路８をオープン（開放）した状態で、第１入出力部６よりパルス信号を送信する。すると、開放されたオープンショート回路８にてパルス信号が反射され、その反射信号が第１入出力部６で受信される。このときのパルス信号を送信してから反射信号を受信するまでの時間Ｔ０を計測し、計測した時間Ｔ０を基準として、第１盗難位置テーブル１３と第２盗難位置テーブル１４の設定を行う。
【００３８】
その後、オープンショート回路８をショート（短絡）し、盗難判定の処理（以下、盗難判定処理という）を開始する。太陽電池モジュールの盗難監視装置１では、太陽電池モジュールＭが盗難されると、その盗難された太陽電池モジュールＭに対応する接続部５にて信号線４が電気的に遮断されるので、図５（ｂ）に示すように、第１入出力部６より第１パルス信号を送信すると、電気的に遮断された接続部５にて第１パルス信号が反射され、その反射された信号である第１反射信号が第１入出力部６で受信されることになる。このときの第１パルス信号を送信してから第１反射信号を受信するまでの時間Ｔ１を計測し、その時間Ｔ１で予め設定した第１盗難位置テーブル１３を参照すれば、盗難された太陽電池モジュールＭのうち最もループ回路２の一端に近い太陽電池モジュールＭの位置（盗難モジュール番号Ｐ１）が判定できることになる。
【００３９】
さらに同様にして、第２入出力部７より第２パルス信号を送信すると、電気的に遮断された接続部５にて第２パルス信号が反射され、第２反射信号が第２入出力部７で受信されることになる。このときの第２パルス信号を送信してから第２反射信号を受信するまでの時間Ｔ２を計測し、その時間Ｔ２で予め設定した第２盗難位置テーブル１４を参照すれば、盗難された太陽電池モジュールＭのうち最もループ回路２の他端に近い太陽電池モジュールＭの位置（盗難モジュール番号Ｐ２）が判定できることになる。
【００４０】
１つの太陽電池モジュールＭが盗難された場合、盗難モジュール番号Ｐ１，Ｐ２は同じ番号となるが、複数の太陽電池モジュールＭが盗難された場合には、盗難モジュール番号Ｐ１，Ｐ２は違う番号（Ｐ１＜Ｐ２）となり、Ｐ１〜Ｐ２の範囲で太陽電池モジュールＭが盗難されたことを判定することが可能となる。
【００４１】
次に、盗難判定処理の制御フローを図６，７を用いて具体的に説明する。
【００４２】
図６に示すように、盗難判定処理では、まず、ステップＳ１にて、盗難判定部１０が第１入出力部６より第１パルス信号を送信し、その後、ステップＳ２にて、第１盗難位置判定部１１がタイマＴ１をスタートする。
【００４３】
ステップＳ３では、盗難判定部１０が、第１入出力部６で第１反射信号を受信したかを判定する。ステップＳ３でＮＯと判定された場合、ステップＳ４にて、盗難判定部１０が、第２入出力部７で第１パルス信号を受信したかを判定する。ステップＳ４でＮＯと判定された場合、ステップＳ３に戻り、ＹＥＳと判定された場合、ステップＳ７に進む。ステップＳ７では、盗難判定部１０が太陽電池モジュールＭが盗難されていないと判断し、ステップＳ８に進む。
【００４４】
ステップＳ３でＹＥＳと判定された場合、ステップＳ５にて、盗難判定部１０が太陽電池モジュールＭが盗難されたと判断し、ステップＳ６にて、盗難位置判定処理を行った後、ステップＳ８に進む。
【００４５】
ステップＳ８では、第１盗難位置判定部１１がタイマＴ１をリセットする。その後、ステップＳ９にて所定時間待機した後、リターンする（ステップＳ１に戻る）。
【００４６】
ステップＳ６の盗難位置判定処理では、図７に示すように、まず、ステップＳ１０にて、第１盗難位置判定部１１がタイマＴ１を計測し、ステップＳ１１にて、予め設定した第１盗難位置テーブル１３（図３参照）に基づき、ステップＳ１０で計測したタイマＴ１より盗難モジュール番号Ｐ１を判定する。
【００４７】
その後、ステップＳ１２にて、第２盗難位置判定部１２が第２入出力部７より第２パルス信号を送信し、その後、ステップＳ１３にて、第２盗難位置判定部１２がタイマＴ２をスタートする。
【００４８】
ステップＳ１４では、第２盗難位置判定部１２が、第２入出力部７で第２反射信号を受信したかを判定する。ステップＳ１４でＮＯと判定された場合、ステップＳ１４を繰返し、ＹＥＳと判定された場合、ステップＳ１５に進む。
【００４９】
ステップＳ１５では、第２盗難位置判定部１２がタイマＴ２を計測する。その後、ステップＳ１６にて、予め設定した第２盗難位置テーブル１４（図４参照）に基づき、ステップＳ１５で計測したタイマＴ２より盗難モジュール番号Ｐ２を判定する。
【００５０】
その後、ステップＳ１７にて、盗難位置判定部１５が、ステップＳ１１で判定した盗難モジュール番号Ｐ１と、ステップＳ１６で判定した盗難モジュール番号Ｐ２が等しいかを判定する。ステップＳ１７でＹＥＳと判定された場合、ステップＳ１８にて、盗難位置判定部１５が、盗難位置を盗難モジュール番号Ｐ１と判定し、ステップＳ２０に進む。ステップＳ１７でＮＯと判定された場合、ステップＳ１９にて、盗難位置判定部１５が、盗難位置を盗難モジュール番号Ｐ１〜Ｐ２の範囲と判定し、ステップＳ２０に進む。
【００５１】
ステップＳ２０では、盗難位置判定部１５が、ステップＳ１８またはＳ１９で判定した盗難位置を、盗難位置信号として警報手段２０に送信する。その後、ステップＳ２１にて、第２盗難位置判定部１２がタイマＴ２をリセットし、処理を終了する。
【００５２】
本実施の形態の作用を説明する。
【００５３】
本実施の形態に係る太陽電池モジュールの盗難監視装置１では、太陽電池モジュールＭが盗難されたときに、当該盗難された太陽電池モジュールＭに対応する接続部５にて信号線４が電気的に遮断されるようにループ回路２を構成し、ループ回路２の一端から第１パルス信号を送信し、第１パルス信号がループ回路２内で反射された第１反射信号をループ回路２の一端側で受信したとき、太陽電池モジュールＭが盗難されたと判定すると共に、第１パルス信号を送信してから第１反射信号を受信するまでの時間Ｔ１を基に、盗難された太陽電池モジュールＭのうち最もループ回路２の一端に近い太陽電池モジュールＭの位置を判定し、さらに、ループ回路２の他端から第２パルス信号を送信し、第２パルス信号を送信してから第２反射信号をループ回路２の他端側で受信するまでの時間Ｔ２を基に、盗難された太陽電池モジュールＭのうち最もループ回路２の他端に近い太陽電池モジュールＭの位置を判定するようにしている。
【００５４】
このように構成することで、複数の太陽電池モジュールＭが盗難された場合であっても、太陽電池モジュールＭが盗難された可能性のある範囲や、複数の太陽電池モジュールＭが盗難された位置を特定することが可能となる。
【００５５】
また、太陽電池モジュールの盗難監視装置１は、特許文献１のようにループ回路２に常時電流を流す構成ではなく、所定の時間間隔ごとに第１パルス信号を送信する構成であるため、消費電力を低く抑えることができる。
【００５６】
次に、本発明の他の実施の形態を説明する。
【００５７】
図８に示す太陽電池モジュールの盗難監視装置８１は、図１の太陽電池モジュールの盗難監視装置１において、太陽電池モジュールＭのそれぞれに接続される接続部５に、信号線４に対してインピーダンスが不整合となる反射素子５ｄを設けたものである。反射素子５ｄは、例えば抵抗からなり、モジュール側コネクタ５ｂのモジュール側導電路５ｃに設けられる。
【００５８】
太陽電池モジュールの盗難監視装置８１では、図９に示すように、ループ回路２の一端から第１パルス信号を送信すると、各反射素子５ｄで第１パルス信号の一部が反射して、ループ回路２の一端に順次戻ってくる。この反射素子５ｄで反射される第１反射信号は、太陽電池モジュールＭが盗難されたときに受信される第１反射信号と比較して、非常に小さい。よって、太陽電池モジュールの盗難監視装置８１では、盗難判定部１０は、受信した第１反射信号の信号強度が予め設定した判定用閾値以上あれば、太陽電池モジュールＭが盗難されたと判定するように構成される。
【００５９】
さらに、太陽電池モジュールの盗難監視装置８１では、第１パルス信号を送信してから第１反射信号（判定用閾値以上の第１反射信号）を受信するまでの時間Ｔ１を計測せずとも、反射素子５ｄにて反射される第１反射信号をカウントしておけば、判定用閾値以上の信号強度の前記第１反射信号を受信したときのカウントから、盗難された太陽電池モジュールＭの位置（太陽電池モジュールＭのうち最もループ回路２の一端に近い太陽電池モジュールＭの位置）を判定することが可能である。一例として、図９の盗難時の例では、４つ目の第１反射信号が判定用閾値以上の信号強度となっているので、盗難モジュール番号Ｐ１は４となる。
【００６０】
第２盗難位置判定部１２についても同様に、ループ回路２の他端から第２パルス信号を送信した後、反射素子にて反射される第２反射信号をカウントし、判定用閾値よりも大きい信号強度の第２反射信号を受信したときのカウントから、盗難された太陽電池モジュールＭのうち最もループ回路２の他端に近い太陽電池モジュールＭの位置を判定するように構成すればよい。
【００６１】
したがって、太陽電池モジュールの盗難監視装置８１によれば、第１盗難位置テーブル１３や第２盗難位置テーブル１４を省略することが可能であり、盗難監視装置本体３をより簡略な構成とすることができる。また、太陽電池モジュールの盗難監視装置８１によれば、第１反射信号を常時カウントすることにより、太陽電池モジュールＭが盗難されていないことを積極的に検知でき、信頼性を向上できる。
【００６２】
本発明は上記実施の形態に限定されるものではなく、本発明の趣旨を逸脱しない範囲で種々の変更を加え得ることは勿論である。
【００６３】
例えば、上記実施の形態では、太陽電池モジュールＭに接続部５を接続し、太陽電池モジュールＭの盗難を検知する場合を説明したが、本発明によれば、例えば、太陽電池モジュールＭを構成する太陽電池パネルのそれぞれに接続部５を接続し、太陽電池パネルの盗難を検知することも可能である。
【符号の説明】
【００６４】
１  太陽電池モジュールの盗難監視装置
２  ループ回路
３  盗難監視装置本体
４  信号線
５  接続部
１０  盗難判定部
１１  第１盗難位置判定部
１２  第２盗難位置判定部
１５  盗難位置判定部
Ｍ  太陽電池モジュール
【図１】
0005447402.tif 000002
【図２】
0005447402.tif 000003
【図３】
0005447402.tif 000004
【図４】
0005447402.tif 000005
【図５】
0005447402.tif 000006
【図６】
0005447402.tif 000007
【図７】
0005447402.tif 000008
【図８】
0005447402.tif 000009
【図９】
0005447402.tif 000010